(57)【要約】【課題】  手間を掛けずにほぼ平坦に芝等を刈り込むことができ、しかも、電気を利用できない場所や雨天時でも使用することができるようにすること。【解決手段】  それぞれに柄体１６が設けられ、連結部１３を中心に揺動自在に連結する一対の第１及び第２の揺動本体１１、１２と、第１及び第２の各揺動本体１１、１２に対して揺動方向に沿って間隔を隔てて５枚ずつ設けられ、連結部１３から外側に向かう方向に延びる合計１０枚の第１及び第２刃体９（９ａ、９ｂ、・・・、９ｅ）、１０（１０ａ、１０ｂ、・・・、１０ｅ）と、それぞれの刃体９，１０の両側の各縁部に設けられた切刃１４、１５とを備える。【選択図】      図２
2005192446.tif 000002
【特許請求の範囲】
【請求項１】
それぞれに柄体が設けられ連結部を中心に揺動自在に連結する一対の揺動本体と、前記それぞれの揺動本体に対して揺動方向に沿って間隔を隔てて設けられ前記連結部から外側に向かう方向に延びる複数の刃体と、それぞれの前記刃体の縁部に設けられた切刃とを備えることを特徴とする刈込み鋏。
【請求項２】
一方の前記揺動本体に設けられた前記複数の各切刃が他方の前記揺動本体に設けられた所定の前記切刃の位置を超えて揺動可能なことを特徴とする請求項１記載の刈込み鋏。
【請求項３】
それぞれの前記刃体の両側の各縁部に切刃を設けたことを特徴とする請求項１又は２記載の刈込み鋏。
【請求項４】
前記一対の柄体の開方向の揺動を所定の開き角度で係止する係止部を備えることを特徴とする請求項１乃至３のいずれかに記載の刈込み鋏。
【発明の詳細な説明】
【技術分野】
【０００１】
本発明は、芝、雑草及び枝等の刈り込みをするのに使用される刈込み鋏に関する。
【背景技術】
【０００２】
従来の刈込み鋏（図示せず）として、例えば一対の刃体が連結軸を中心にして揺動自在に連結し、各刃体に柄体を取り付けたものがある。この刈込み鋏は、一対の刃体の互いに向かい合うそれぞれの縁部に切刃が設けられており、一対の刃体が閉じる方向に揺動したときには芝等を刈り取ることができるが、一対の刃体が開く方向に揺動したときは芝等を刈り取ることができないものである。
【０００３】
この刈込み鋏を使用して、例えば芝刈りをするときは、刃体を広げて芝面にあてがった状態で、一対の柄体を閉じればよい。このように、柄体を手で開閉することを繰り返すことによって、芝等を刈込むことができる。
【０００４】
しかし、従来の刈込み鋏では、拡開した一対の刃体を芝面にあてがって刃体を閉じるとき、拡開した刃体と刃体との間にある芝のうち、刃体寄りにある芝は中央部寄りに撓みながら刈り取られることになる。つまり、刃体間にある芝のうち両側部にある芝は中央部にある芝と比べて撓み量が大きくなるので、両側部の刈込み量が少なくなり、中央部の刈込み量が多くなる。これによって、芝面に凹凸ができるので、芝面を平坦に刈込むことができない。従って、芝を刈り込む際に、芝面を平らにする作業が必要となり、手間が掛かる。
【０００５】
そこで、図１０に示すような電動式の剪断機１が考案されている（例えば特許文献１参照。）。この剪断機１は、本体部２に固定されて取り付けられている固定刃３と、駆動部（駆動部は、本体部２内に収容されている。）に連結されて固定刃３に沿って往復移動する可動刃４とを備えている。これらそれぞれの固定刃３及び可動刃４は、櫛歯状に配置された複数の刃体５、・・・を有している。
【０００６】
図１０に示す従来の剪断機１によると、固定刃３及び可動刃４のそれぞれに複数の刃体５を設けて、刃体５と刃体５との間隔を狭くしてあるので、刃体５と刃体５との間にある芝のうち両側部にある芝の刈込み量と、中央部にある芝の刈込み量との差を小さくすることができる。これによって、刈り込まれた芝面の凹凸を小さくすることができ、芝を刈り込む際に、芝面を平らにする作業を軽減できる。
【特許文献１】実開昭５４−７０８５４号公報
【発明の開示】
【発明が解決しようとする課題】
【０００７】
しかし、図１０に示す従来の剪断機１は、電動式であるので、構造が複雑であってコストが嵩む。そして、電気を利用できる場所でしか使用できないので、電気を利用できないような例えば墓場や庭等に生えている芝や雑草等を刈り取ることができない。そして、雨天時のように、この剪断機１に水が掛かるような場合にも使用することができない。
【０００８】
本発明は、上記のような課題を解決するためになされたものであり、手間を掛けずにほぼ平坦に芝等を刈り込むことができ、しかも、電気を利用できない場所や雨天時でも使用することができる刈込み鋏を提供することを目的としている。
【課題を解決するための手段】
【０００９】
本発明は、それぞれに柄体が設けられ連結部を中心に揺動自在に連結する一対の揺動本体と、前記それぞれの揺動本体に対して揺動方向に沿って間隔を隔てて設けられ前記連結部から外側に向かう方向に延びる複数の刃体と、それぞれの前記刃体の縁部に設けられた切刃とを備えることを特徴とするものである。
【００１０】
この発明の刈込み鋏によると、一対の各揺動本体に設けられている複数の刃体の揺動範囲にわたる空間を、複数の刃体によって複数の空間に分割することができる。この分割によって形成された複数の各空間に芝等が配置されるように、この刈込み鋏を芝面にあてがって、作業者が柄体を開閉操作すると、各空間内に配置された芝等を、それぞれの空間の両側に配置される刃体（切刃）によって刈り込むことができる。この分割された各空間の両側に配置される刃体と刃体との間隔は、この刈込み鋏の製造の際に、所望の間隔に設定することができるので、比較的狭くすることができる。従って、各空間を形成する刃体と刃体との間にある芝等のうち刃体と接近する両側部にある芝等の刈込み量と、中央部にある芝等の刈込み量との差を小さくすることができる。これによって、刈り込まれた芝面の凹凸を小さくすることができる。
【００１１】
そして、この発明において、一方の前記揺動本体に設けられた前記複数の各切刃が他方の前記揺動本体に設けられた所定の前記切刃の位置を超えて揺動可能にすることが可能である。これにより、柄体を開方向又は閉方向に操作して、一方の複数の各切刃を他方の所定の切刃の位置を越えてそれぞれ揺動させることによって、その一方の複数の各切刃と、他方の所定の切刃との間に形成される空間に存在する芝等を、その一方の複数の切刃の数と同じ回数で切断することができる。従って、芝等の刈残しを低減することができる。
【００１２】
また、それぞれの前記刃体の両側の各縁部に切刃を設けることも可能である。これにより、柄体を開方向、及び閉方向のいずれの方向に操作しても、それぞれの刃体と刃体との間に形成された複数の各空間に存在する芝等を刈り込むことができる。従って、作業者が芝等を刈り込む際の柄体を開閉する回数を、従来の切刃が片側縁部にしか形成されていない刈込み鋏と比較して少なくすることができる。
【００１３】
更に、前記一対の柄体の開方向の揺動を所定の開き角度で係止する係止部を備えるようにすることも可能である。これにより、作業者が柄体を開方向に操作して、柄体が所定の開き角度となったときに、柄体の開方向の揺動をこの係止部が係止することができる。従って、作業者は、柄体を開き過ぎるという無駄な操作をせずに、この所定の開き角度以下の状態から柄体を閉方向に操作して刈り込み作業を連続して行うことができる。よって、刈込み作業の効率を向上させることができる。
【発明の効果】
【００１４】
この発明の刈込み鋏によると、一対の揺動本体に設けられている複数の刃体によって形成される複数の各空間に芝等を配置して、それぞれの各空間に配置された芝等ごとに刈込みを行うことができるので、芝面をほぼ平坦に刈り込むことができる。従って、芝等を刈込んだ後に、芝面を平らにする作業が不要であり手間が掛からない。
【００１５】
そして、この刈込み鋏は、作業者が手で操作して芝等を刈り取ることができるものなので、構造が簡単であり安価である。そして、電気を利用できないような例えば墓場や庭等に生えている芝や雑草等を刈り取ることができる。そして、雨天時のように、水が掛かるような場合にも使用することができて便利である。
【発明を実施するための最良の形態】
【００１６】
以下、本発明に係る刈込み鋏の第１実施形態を図１乃至図６を参照して説明する。この刈込み鋏８は、図２に示すように、芝、雑草及び枝等の刈り込みをするのに使用される手動式のものであり、それぞれに５枚の刃体９（９ａ、９ｂ、・・・、９ｅ）、１０（１０ａ、１０ｂ、・・・、１０ｅ）が設けられている一対の揺動本体１１、１２を備えている。図１は、一対の各揺動本体１１、１２に５枚ずつ設けられている刃体９、１０が閉じた状態を示す平面図であり、図２は刃体９、１０が少しずれて開いた状態を示す平面図である。
【００１７】
一対の揺動本体１１、１２は、図１及び図２に示すように、一方が第１の揺動本体１１であり、他方が第２の揺動本体１２である。この第１の揺動本体１１と第２の揺動本体１２とは、連結部１３によって連結されており、この連結部１３を中心に揺動自在である。連結部１３は、ボルト１３ａ及びナット１３ｂからなり、ボルト１３ａが第１及び第２の揺動本体１１、１２に形成された各挿通孔に挿通しており、このボルト１３ａの頭部とナット１３ｂとの間に第１及び第２の揺動本体１１、１２を挟み込んでこれら揺動本体１１、１２を揺動自在に連結している。
【００１８】
第１の揺動本体１１は、図１に示すように、扇状の板状体であり、その円弧状の周縁に沿って、互いに間隔を隔てて５つの第１刃体９（９ａ、９ｂ、・・・、９ｅ）が設けられている。この５つの各第１刃体５は、ほぼ二等辺三角形の板状体であり、連結部１３から外側に向かって放射状に延びている。そして、５つの各第１刃体５の両側の各縁部には切刃１４が形成されている。また、第１の揺動本体１１の基端部には、細長い円柱状の柄体１６が取り付けられている。
【００１９】
第２の揺動本体１２は、図２及び図４に示すように、第１の揺動本体１１と同等の形状であり、第１刃体９と同等の形状の５枚の第２刃体１０（１０ａ、１０ｂ、・・・、１０ｅ）が設けられている。そして、５つの各第２刃体１０の両側の各縁部には切刃１５が形成されている。また、第２の揺動本体１２の基端部にも、細長い円柱状の柄体１６が取り付けられている。
【００２０】
なお、５枚の第１刃体９及び５枚の第２刃体１０は、それぞれと対応する第１及び第２の揺動本体１１、１２の円弧状周縁に沿って約１００°の範囲にわたって約２５°おきに配置されている。そして、図６に示すように、一対の各柄体１６、１６と第１及び第２の揺動本体１１、１２とのなす角度は、約４０°である。
【００２１】
そして、図１に示すように、第１及び第２の揺動本体１１、１２の各基端部の内側縁には、閉方向係止部１７、１７としての突起が設けられている。この閉方向係止部１７、１７は、一対の柄体１６、１６を閉方向に揺動させた場合に、５枚の各第１刃体９と５枚の各第２刃体１０とが互いに重なり合った状態となったときに、この２つの閉方向係止部１７、１７が互いに当接した状態となって、柄体１６、１６の閉方向の揺動を係止することができる。
【００２２】
また、図５に示すように、第１及び第２の揺動本体１１、１２の各基端部の外側縁には、開方向係止部１８、１８としての突起が設けられている。この開方向係止部１８、１８は、一対の柄体１６、１６を開方向に揺動させた場合に、柄体１６、１６が所定の開き角度θ１となったときに、この２つの開方向係止部１８がそれぞれと対応する第２及び第１の揺動本体１２、１１の右側及び左側の各縁部に当接した状態となって、柄体１６、１６の開方向の揺動を係止することができる。図５に示すように、一対の柄体１６、１６が所定の開き角度θ１となったときは、第１刃体９のうち右端の第１刃体９ａが、右端から３枚目の第２刃体１０ｃと４枚目の第２刃体１０ｄとの間に位置する状態となっている。なお、第１及び第２の揺動本体１１、１２のそれぞれに開方向係止部１８、１８を設けたが、いずれか一方の開方向係止部１８を省略してもよい。
【００２３】
上記のように構成された刈込み鋏８によると、例えば図３に示すように、一対の柄体１６、１６を閉状態から開方向に操作して刃体の１ピッチだけ開いた状態にすると、第１及び第２の揺動本体１１、１２に設けられている１０枚の刃体９、１０が配置されている空間を、５個の第１〜第５空間１９〜２３に分割することができる。この分割によって形成された第１〜第５空間１９〜２３に芝等が配置されるように、この刈込み鋏８を芝面にあてがい、そして作業者が柄体１６、１６を閉方向に操作すると、第１〜第５空間１９〜２３内に配置された芝を、それぞれの空間の両側に配置された刃体（９ａ、１０ａ）、（９ｂ、１０ｂ）、・・・、（９ｅ、１０ｅ）の各切刃１４、１５によって、それぞれ別々に刈り込むことができる。この分割された各空間１９〜２３の両側に配置される例えば刃体９ａと刃体９ｂとの間隔、刃体１０ａと刃体１０ｂとの間隔は、この刈込み鋏８を製造する際に所望の間隔に設定できるので、比較的狭くすることができる。従って、各空間１９〜２３の刃体間（例えば刃体９ａと刃体９ｂとの間）にある芝のうち、刃体と接近する両側部にある芝の刈込み量と、中央部にある芝の刈込み量との差を小さくすることができる。これによって、刈り込まれた芝面の凹凸を小さくすることができるので、芝を刈り込む際に、芝面を平らにする作業を軽減できる。
【００２４】
そして、この刈込み鋏８は、作業者が手で操作して芝等を刈り込むことができるものなので、モータ等を使用せず、構造が簡単であり安価である。そして、電気を利用できないような例えば墓場や庭等に生えている芝や雑草等を刈り取ることができる。また、雨天時のように、水が掛かるような場合にも使用することができて便利である。
【００２５】
次に、例えば図４に示すように、一対の柄体１６、１６を閉状態から開方向に操作して刃体の２ピッチだけ開いた状態にすると、第１及び第２の揺動本体１１、１２に設けられている１０枚の刃体９、１０が配置されている空間を、６個の第１〜第６空間１９〜２４に分割することができる。この分割によって形成された第１〜第６空間１９〜２４に芝等が配置されるように、この刈込み鋏８を芝面にあてがい、そして作業者が柄体１６、１６を閉方向に操作して図１に示す閉じた状態にすると、第１〜第６空間１９〜２４内に配置された芝を、第１刃体９と第２刃体１０とによってそれぞれ別々に刈り込むことができる。
【００２６】
ここで、図４に示す第１空間１９と対応する芝面の区画に生えている芝は、第１刃体９ａの切刃１４と第２刃体１０ａの切刃１５とによって１回刈り取ることができる。そして、第６空間２４と対応する芝面の区画に生えている芝は、第１刃体９ｅの切刃１４と第２刃体１０ｅの切刃１５とによって１回刈り取ることができる。
【００２７】
ただし、第２空間２０と対応する芝面の区画に生えている芝は、第１刃体９ａの切刃１４と第２刃体１０ｂの切刃１５とによって刈った後に、更に第１刃体９ｂの切刃１４と第２刃体１０ｂの切刃１５とによって刈り取ることができ、合計２回刈り取ることができる。そして、これと同様に、第３、第４、及び第５空間と対応する芝面の区画に生えている芝は、第１刃体９ｂ、９ｃ、９ｄの各切刃１４と第２刃体１０ｃ、１０ｄ、１０ｅの各切刃１５とによって刈った後に、更に第１刃体９ｃ、９ｄ、９ｅの各切刃１４と第２刃体１０ｃ、１０ｄ、１０ｅの各切刃１５とによって刈り取ることができ、それぞれ２回ずつ刈り取ることができる。
【００２８】
このように、例えば第２空間２０と対応する芝面の区画に生えている芝を、合計２回刈り取ることができるのは、図４に示す開状態の刈込み鋏８が図１に示す閉じた状態に揺動したときに、２枚の第１刃体９ａ、９ｂの２つの切刃１４が第２刃体１０ｂの切刃１５の位置を越えて閉方向に揺動できるようになっているからである。このように、柄体１６、１６を閉方向に１回だけ操作することによって、第２〜第５空間２０〜２３の芝をそれぞれ２回ずつ刈り取ることができるので、一対の刃体を備える従来の刈込み鋏と比較して、芝等の刈残しを低減することができる。
【００２９】
また、この刈込み鋏８によると、例えば図１に示すように閉じた状態の刈込み鋏８を開く方向に操作することによって、４個の第１〜第４空間１９〜２２に配置される芝等を刈り込むことができる。これは、第１および第２刃体９、１０のそれぞれの両側の各縁部に切刃１４、１５を設けたからである。
【００３０】
つまり、一対の柄体１６、１６を図１に示す閉状態から開方向に操作して刃体の１ピッチだけ開いた状態（図３参照）にすると、第１〜第４空間１９〜２２内に配置された芝等を、それぞれの空間の両側に配置された刃体（９ａ、１０ｂ）、（９ｂ、１０ｃ）、・・・、（９ｄ、１０ｅ）の各切刃１４，１５によって、それぞれ別々に刈り込むことができる。
【００３１】
そして、一対の柄体１６を図３に示す状態から更に開方向に操作して、刃体の２ピッチだけ開いた状態（図４参照）にすると、図３に示す３個の第２〜第４空間２０〜２２内に配置された芝を、それぞれの空間の両側に配置された刃体（９ａ、１０ｃ）、（９ｂ、１０ｄ）、（９ｃ、１０ｅ）の各切刃１４、１５によって、それぞれ別々に刈り込むことができる。このようにして、第１空間１９に配置された芝等を１回だけ刈り取ることができる。そして、第２〜第４空間２０〜２２内に配置された芝を２回ずつ刈り取ることができるので、これら第２〜第４の各空間２０〜２２に生えている芝の刈残しを軽減できる。
【００３２】
このように、一対の柄体１６、１６を開方向、及び閉方向のいずれの方向に操作しても、それぞれの刃体９、１０の間に形成された複数の各空間１９等に配置されている芝等を刈り取ることができる。従って、作業者が芝等を刈り込む際の柄体１６、１６を開閉する回数を、従来の切刃が刃体の片側縁部にしか形成されていない刈込み鋏と比較して少なくすることができる。
【００３３】
更に、この刈込み鋏８によると、図１に示すように、柄体１６、１６の閉方向の揺動を所定の閉位置で係止する閉方向係止部１７、１７を設けてあるので、柄体１６、１６を閉方向に操作するときに、柄体１６、１６の間に指を挟み込むことを防止できる。そして、図５に示すように、一対の柄体１６、１６の開方向の揺動を所定の開き角度θ１で係止する開方向係止部１８、１８を設けてあるので、作業者は、柄体１６、１６を開き角度θ１以上に開き過ぎるという無駄な操作をせずに、この所定の開き角度θ１以下の状態から柄体１６、１６を閉方向に操作して刈り込みを行うことができる。よって、作業効率を向上させることができる。つまり、柄体１６を所定の開き角度θ１を超えて開くと、柄体１６、１６を握る手の間隔が広くなり過ぎて、この開いた状態の柄体１６、１６を閉じ難くなるので、これを防止できる。従って、芝等の刈込み作業をする作業者は、柄体１６、１６の開閉方向の操作範囲を気遣うことなく、開方向係止部１８、１８によって係止されるまで開方向に操作すればよいし、閉方向係止部１７、１７によって係止されるまで閉方向に操作すればよい。このようにして、柄体１６、１６を開閉操作する動作を連続して効率よく行うことができるので、芝等の刈込み作業の労力を軽減できる。
【００３４】
次に、図７乃至図９を参照してこの発明の第２実施形態に係る刈込み鋏２５を説明する。この図８に示す第２実施形態と、図２に示すに第１実施例とが相違するところは、第１及び第２刃体９、１０の枚数が相違するところと、第１及び第２の揺動本体１１、１２の形状が相違するところである。これ以外は、第１実施形態と同等であるので、同等部分を同一の図面符号で示し、それらの詳細な説明を省略する。
【００３５】
なお、図７は、この刈込み鋏２５が完全に閉じた状態を示しており、閉方向係止部１７、１７が互いに当接している。図８は、柄体１６、１６を閉状態から開方向に操作することによって刃体の半ピッチだけ開いた状態を示す平面図である。図９は、刈込み鋏２５が完全に開いた状態を示しており、各開方向係止部１８、１８が対応する揺動本体１１、１２の各縁部と当接している。
【００３６】
つまり、第１実施形態の刈込み鋏８は、第１及び第２刃体９、１０のそれぞれが５枚の刃体から成っているのに対して、第２実施形態の刈込み鋏２５では、第１刃体９が６枚の刃体９ａ〜９ｆから成っており、第２刃体１０が７枚の刃体１０ａ〜１０ｇから成っている。このように、第１刃体９の枚数と第２刃体１０の枚数とが相違するようにしても、刈り込まれた芝面の凹凸を小さくすることができるし、芝等の刈残しを低減することができる。
【００３７】
そして、第１実施形態の第１及び第２の揺動本体１１、１２は、扇状の形状であるのに対して、第２実施形態の第１及び第２の揺動本体１１、１２では、T字状の形状としてある。このように、第１及び第２の揺動本体１１、１２をT字状として、両側縁にくびれ部２６、２６を形成することによって、第１及び第２の揺動本体１１、１２の重量を軽量化することができる。これによって、刈込み鋏２５の重量を軽量化できるので、刈込み作業の労力を軽減することができる。
【００３８】
更に、第１及び第２実施形態の刈込み鋏８、２５の切刃１４、１５を例えば研磨するときは、連結部１３のボルト１３ａ及びナット１３ｂを緩めて刈込み鋏から取り外し、第１の揺動本体１１と第２の揺動本体１２とを分離する。これによって、各切刃１４、１５を適切に研磨することができる。
【００３９】
ただし、第１及び第２実施形態では、第１及び第２刃体９，１０のそれぞれの両側の各縁部に切刃１４、１５を設けたが、これに代えて、例えば柄体１６、１６を開く方向に操作したときに芝等を刈り取ることができないが、閉じる方向に操作したときに芝等を刈り取ることができるように、所定の片側の縁部に形成されている切刃１４、１５を省略してもよい。更に、図２に示す第１刃体９ｅの左側の切刃１４、及び第２刃体１０ａの右側の切刃１５を省略してもよい。
【００４０】
そして、第１及び第２実施形態では、図５及び図９に示すように、開方向係止部１８、１８を設けたが、この開方向係止部１８、１８を省略してもよい。
【００４１】
また、第１及び第２実施形態では、図１及び図７に示すように、柄体１６、１６を完全に閉じた状態で、各第１刃体９と各第２刃体１０とが互いに重なり合うようにしたが、これに代えて、第１刃体９と第２刃体１０とが互いに重なり合わないようにしてもよい。例えば５枚または６枚の第１刃体９のピッチを、５枚または７枚の第２刃体１０のピッチよりも大きくしてもよいし、小さくしてもよい。
【産業上の利用可能性】
【００４２】
以上のように、本発明に係る刈込み鋏は、手間を掛けずにほぼ平坦に芝等を刈り込むことができ、しかも、電気を利用できない場所や雨天時でも使用することができる優れた効果を有し、このような刈込み鋏等に適用するのに適している。
【図面の簡単な説明】
【００４３】
【図１】この発明の第１実施形態に係る刈込み鋏の閉じた状態を示す平面図である。
【図２】同第１実施形態に係る刈込み鋏の半ピッチ開いた状態を示す平面図である。
【図３】同第１実施形態に係る刈込み鋏の１ピッチ開いた状態を示す平面図である。
【図４】同第１実施形態に係る刈込み鋏の２ピッチ開いた状態を示す平面図である。
【図５】同第１実施形態に係る刈込み鋏の完全に開いた状態を示す平面図である。
【図６】図１に示す刈込み鋏を示す側面図である。
【図７】同発明の第２実施形態に係る刈込み鋏の閉じた状態を示す平面図である。
【図８】同第２実施形態に係る刈込み鋏の半ピッチ開いた状態を示す平面図である。
【図９】同第２実施形態に係る刈込み鋏の完全に開いた状態を示す平面図である。
【図１０】従来の剪断機を示す斜視図である。
【符号の説明】
【００４４】
８、２５  刈込み鋏
９、９ａ、９ｂ、９ｃ、９ｄ、９ｅ  第１刃体
１０、１０ａ、１０ｂ、１０ｃ、１０ｄ、１０ｅ  第２刃体
１１  第１の揺動本体
１２  第２の揺動本体
１３  連結部
１４、１５  切刃
１６  柄体
１７  閉方向係止部
１８  開方向係止部
１９  第１空間
２０  第２空間
２１  第３空間
２２  第４空間
２３  第５空間
２４  第６空間
２６  くびれ部
【図１】
2005192446.tif 000003
【図２】
2005192446.tif 000004
【図３】
2005192446.tif 000005
【図４】
2005192446.tif 000006
【図５】
2005192446.tif 000007
【図６】
2005192446.tif 000008
【図７】
2005192446.tif 000009
【図８】
2005192446.tif 000010
【図９】
2005192446.tif 000011
【図１０】
2005192446.tif 000012